(57)【要約】【課題】  状態の通知を行う移動体通信端末等を提供する。【解決手段】  移動体通信網に接続されて通信を行う移動体通信端末であって、前記移動体通信網に接続される通信先端末の利用者の状態を示す状態情報を受信する状態受信部と、前記通信先端末の識別情報を提供すると共に、前記識別情報を前記利用者に選択させることで、当該通信先端末との通信を確立するアドレス帳機能提供部と、前記アドレス帳機能提供部が提供する前記識別情報を、前記状態受信部が受信した前記状態情報に対応付けて表示する表示部とを備えることを特徴とする移動体通信端末を提供する。【選択図】図２
2007209010.tif 000002
【特許請求の範囲】
【請求項１】
移動体通信網に接続されて通信を行う移動体通信端末であって、
前記移動体通信網に接続される通信先端末の利用者の状態を示す状態情報を受信する状態受信部と、
前記通信先端末の識別情報を提供すると共に、前記識別情報を前記利用者に選択させることで、当該通信先端末との通信を確立するアドレス帳機能提供部と、
前記アドレス帳機能提供部が提供する前記識別情報を、前記状態受信部が受信した前記状態情報に対応付けて表示する表示部と
を備えることを特徴とする移動体通信端末。
【請求項２】
前記アドレス帳機能提供部は、さらに、複数の前記通信先端末のそれぞれを複数のグループのいずれかに対応付けて格納し、
一の前記グループに対応付けられた全ての前記通信先端末に対し、前記状態情報の閲覧要求を送信する送信部を更に備えることを特徴とする請求項１記載の移動体通信端末。
【請求項３】
前記利用者から前記識別情報の一覧を表示させる旨の入力である一覧表示入力を受け付ける一覧表示入力部をさらに備え、
前記表示部は、前記一覧表示入力を受け付けた場合に、前記識別情報及び前記識別情報のそれぞれに対応付けられた前記状態情報を一覧表示することを特徴とする請求項２記載の移動体通信端末。
【請求項４】
前記状態受信部は、複数の前記状態情報を受信し、
前記利用者から前記識別情報の一覧を前記表示部に表示させる旨の入力である一覧表示入力を、一の前記状態情報と共に受け付ける一覧表示入力部をさらに備え、
前記表示部は、前記一覧表示入力及び前記一の状態情報を受け付けた場合に、前記アドレス帳機能提供部が提供する前記識別情報のうち、前記一の状態情報に対応付けられた前記識別情報を選択して表示することを特徴とする請求項１記載の移動体通信端末。
【請求項５】
前記状態受信部が予め定められた期間において前記状態情報を受信したか否かを判断する判断部を更に備え、
前記状態受信部は、前記予め定められた期間において前記状態情報を受信していない場合に、前記通信先端末との通信を中継する装置に格納されている前記状態情報を受信することを特徴とする請求項１記載の移動体通信端末。
【請求項６】
前記状態受信部は、前記状態情報を定期的に受信することを特徴とする請求項１記載の移動体通信端末。
【請求項７】
移動体通信網に接続されて通信を行う移動体通信端末を制御する制御方法であって、
前記移動体通信網に接続される通信先端末の利用者の状態を示す状態情報を前記移動体通信端末に受信させるステップと、
前記通信先端末の識別情報を提供すると共に、前記識別情報を前記利用者に選択させることで、当該通信先端末との通信を前記移動体通信端末に確立させるステップと、
前記識別情報を、前記状態情報に対応付けて前記移動体通信端末に表示させるステップと
を備えることを特徴とする制御方法。
【請求項８】
移動体通信網に接続されて通信を行う移動体通信端末をコンピュータにより制御させるプログラムであって、
前記移動体通信網に接続される通信先端末の利用者の状態を示す状態情報を前記コンピュータにより受信させる機能と、
前記通信先端末の識別情報を提供すると共に、前記識別情報を前記利用者に選択させることで、当該通信先端末との通信を前記コンピュータにより確立させる機能と、
前記識別情報を、前記状態情報に対応付けて前記コンピュータにより表示させる機能と
を備えることを特徴とするプログラム。
【発明の詳細な説明】
【技術分野】
【０００１】
本発明は、移動体通信端末、制御方法、及びプログラムに関する。特に本発明は、通信先のユーザの状態を知ることができる移動体通信端末、制御方法、及びプログラムに関する。
【背景技術】
【０００２】
移動体通信端末の利用者の状態を、他の何れの移動体通信端末に閲覧許可するかの設定情報を、移動体通信網を管理するサーバに格納するシステムが提案されている（特許文献１を参照。）。そして、このシステムは、互いに閲覧を許可した複数の移動体通信端末においてのみ、利用者の状態の閲覧を許可することにより、プライバシーの保護を図っている。
【特許文献１】特開２０００−２８７２４９号
【発明の開示】
【発明が解決しようとする課題】
【０００３】
しかしながら、上記システムにおいて、利用者は、状態の閲覧を許可する通信先端末を予め設定しなければならない。利用者が状態を閲覧させる可能性がある通信先端末を予想するのが困難であり、かつ実際に閲覧させたい通信先端末より多くの通信先端末に閲覧を許可した場合には、上記システムは、プライベートデータを不用意に漏洩させる可能性を高めてしまう。
そこで本発明は、上記の課題を解決することのできる移動体通信端末、制御方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００４】
上記課題を解決するために、本発明の第１の形態においては、移動体通信網に接続されて通信を行う移動体通信端末であって、前記移動体通信網に接続される通信先端末の利用者の状態を示す状態情報を受信する状態受信部と、前記通信先端末の識別情報を提供すると共に、前記識別情報を前記利用者に選択させることで、当該通信先端末との通信を確立するアドレス帳機能提供部と、前記アドレス帳機能提供部が提供する前記識別情報を、前記状態受信部が受信した前記状態情報に対応付けて表示する表示部とを備えることを特徴とする移動体通信端末。
【０００５】
また、前記アドレス帳機能提供部は、さらに、複数の前記通信先端末のそれぞれを複数のグループのいずれかに対応付けて格納し、一の前記グループに対応付けられた全ての前記通信先端末に対し、前記状態情報の閲覧要求を送信する送信部を更に備えてもよい。
また、前記利用者から前記識別情報の一覧を表示させる旨の入力である一覧表示入力を受け付ける一覧表示入力部をさらに備え、前記表示部は、前記一覧表示入力を受け付けた場合に、前記識別情報及び前記識別情報のそれぞれに対応付けられた前記状態情報を一覧表示してもよい。
【０００６】
また、前記状態受信部は、複数の前記状態情報を受信し、前記利用者から前記識別情報の一覧を前記表示部に表示させる旨の入力である一覧表示入力を、一の前記状態情報と共に受け付ける一覧表示入力部をさらに備え、前記表示部は、前記一覧表示入力及び前記一の状態情報を受け付けた場合に、前記アドレス帳機能提供部が提供する前記識別情報のうち、前記一の状態情報に対応付けられた前記識別情報を選択して表示してもよい。
【０００７】
また、前記状態受信部が予め定められた期間において前記状態情報を受信したか否かを判断する判断部を更に備え、前記状態受信部は、前記予め定められた期間において前記状態情報を受信していない場合に、前記通信先端末との通信を中継する装置に格納されている前記状態情報を受信してもよい。
また、前記状態受信部は、前記状態情報を定期的に受信してもよい。
【０００８】
また、本発明の第２の形態においては、移動体通信網に接続されて通信を行う移動体通信端末を制御する制御方法であって、前記移動体通信網に接続される通信先端末の利用者の状態を示す状態情報を前記移動体通信端末に受信させるステップと、前記通信先端末の識別情報を提供すると共に、前記識別情報を前記利用者に選択させることで、当該通信先端末との通信を前記移動体通信端末に確立させるステップと、前記識別情報を、前記状態情報に対応付けて前記移動体通信端末に表示させるステップとを備えることを特徴とする制御方法を提供する。
【０００９】
また、本発明の第３の形態においては、移動体通信網に接続されて通信を行う移動体通信端末をコンピュータにより制御させるプログラムであって、前記移動体通信網に接続される通信先端末の利用者の状態を示す状態情報を前記コンピュータにより受信させる機能と、前記通信先端末の識別情報を提供すると共に、前記識別情報を前記利用者に選択させることで、当該通信先端末との通信を前記コンピュータにより確立させる機能と、前記識別情報を、前記状態情報に対応付けて前記コンピュータにより表示させる機能とを備えることを特徴とするプログラムを提供する。
なお、上記の発明の概要は、本発明の必要な特徴の全てを列挙したものではなく、これらの特徴群のサブコンビネーションもまた、発明となりうる。
【発明の効果】
【００１０】
上記説明から明らかなように、本発明によれば利用者のプライバシーを保護しつつ、利便性の高い状態通知機能を提供することができる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１２】
（第１の実施形態）
図１は、通信システム１０の概略図を示す。通信システム１０は、第１移動体通信端末２０と、情報処理装置３０と、第２移動体通信端末４０とを備える。第１移動体通信端末２０及び第２移動体通信端末４０は、移動体通信網を介して情報処理装置３０に接続している。情報処理装置３０は、例えば、通信システム１０を管理するサーバである。また、情報処理装置３０は、第１移動体通信端末２０及び第２移動体通信端末４０の通信を仲介する中継機であってもよい。一方、第１移動体通信端末２０は、例えば、携帯電話である。また、第１移動体通信端末２０は、自動車電話であってもよいし、携帯式メール送受信端末であってもよいし、ポケットベルであってもよいし、ＰＤＡであってもよい。なお、本実施形態において、第１移動体通信端末２０は、移動体通信網に接続され持ち運び可能な移動体通信端末であるが、第１移動体通信端末２０の形態は、本実施の形態に限定されない。例えば、第１移動体通信端末２０は、据え置き型コンピュータであってもよいし、サーバであってもよい。第２移動体通信端末４０についても第１移動体通信端末２０と同様に、本実施形態に示す形態に限定されない。
また、第１移動体通信端末２０から見た通信先端末とは、第２移動体通信端末４０である。一方、第２移動体通信端末４０から見た通信先端末とは、第１移動体通信端末２０である。
【００１３】
第１移動体通信端末２０は、第１移動体通信端末２０の利用者の状態を示す状態情報を格納している。第２移動体通信端末４０は、第１移動体通信端末２０の状態情報の閲覧要求を、情報処理装置３０を介して第１移動体通信端末２０に送る。第１移動体通信端末２０は、閲覧要求を受信すると、この閲覧要求を許可するか否かの入力を利用者から受け付ける。そして、第１移動体通信端末２０は、この入力に従い、第２移動体通信端末４０において状態情報を閲覧可能にする。具体的には、第１移動体通信端末２０は、情報処理装置３０が予め格納する状態情報を、第２移動体通信端末４０における閲覧を許可する旨の信号を情報処理装置３０に送る。また、第１移動体通信端末２０は、第２移動体通信端末４０に定期的に状態情報を通知してもよい。このように、通信システム１０は、状態情報の閲覧要求を許可するか否かの判断に、利用者の入力に基づく制御を行うことができる。よって、通信システム１０は、状態情報等のプライベートデータの漏洩を未然に防止することができる。さらに、通信システム１０は、一旦閲覧が許可された後は、例えば状態情報が更新された時に、様々な方法により閲覧者である第２移動体通信端末４０に状態情報を通知することができる。
【００１４】
図２は、通信システム１０の機能ブロック図である。通信システム１０は、第１移動体通信端末２０と、情報処理装置３０と、第２移動体通信端末４０とを備える。第１移動体通信端末２０は、取得部２１０と、先行閲覧許可部２３０と、受信部２４０と、入力部２５０と、スケジュール機能提供部２９０とを有する。情報処理装置３０は、サーバ側受信部３４０と、閲覧許可入出力部３５０と、端末状態管理部３６０と、サーバ側閲覧許可部３７０とを有する。閲覧許可入出力部３５０は、登録許可待ちデータベース３５６を管理する。端末状態管理部３６０は、ユーザ管理データベース３６２と、登録状態管理データベース３６４と、状態通知ログ３６８とを管理する。第２移動体通信端末４０は、送信部４１０と、状態受信部４２０と、アドレス帳機能提供部４４０と、一覧表示入力部４５０と、表示部４６０とを有する。
【００１５】
まず、第１移動体通信端末２０の機能を説明する。
取得部２１０は、利用者から入力部２５０を介して状態情報の変更指示を受け付ける。そして、取得部２１０は、変更指示に従い、新たな状態情報及び当該情報を通知すべき通信先端末を識別する情報を生成する。さらに、取得部２１０は、スケジュール機能提供部２９０から状態情報の変更指示を受け付けた場合も、この変更指示に従い、新たな状態情報及び当該情報を通知すべき通信先端末を識別する情報を生成する。そして、取得部２１０は、この新たな状態情報及び当該情報を通知すべき通信先端末を識別する情報を先行閲覧許可部２３０に送る。
なお、取得部２１０は、状態情報を通知すべき通信先端末を識別情報として、通信先端末を個々に特定する情報を送ってもよいし、複数の通信先端末に対応付けられたグループを特定する情報を送ってもよい。
【００１６】
先行閲覧許可部２３０は、取得部２１０から状態情報及び当該情報を通知すべき通信先端末を識別する情報を受け取り、端末状態管理部３６０に送る。なお、先行閲覧許可部２３０は、通知すべき通信先端末を識別する情報としてグループを特定する情報を受け取った場合に、当該グループを識別する情報と共に、当該情報に対応付けられた１つの状態情報を先行閲覧許可部２３０に送る。すなわち、第１移動体通信端末２０は、情報処理装置３０との間で、状態情報の通信を個人のみならずグループに対応付けて行うことができる。よって、第１移動体通信端末２０は、情報処理装置３０との通信コストを節約することができる。
【００１７】
受信部２４０は、情報処理装置３０の閲覧許可入出力部３５０から状態情報の閲覧要求を受信する。そして、受信部２４０は、状態情報の閲覧要求を受信した旨の情報と、この閲覧要求の送り主すなわち第２移動体通信端末４０を識別する情報とを入力部２５０に送る。続いて、受信部２４０は、入力部２５０から状態情報の閲覧要求に対する閲覧の可否の入力情報を受け付ける。そして、受信部２４０は、この閲覧の可否の入力情報を、閲覧許可入出力部３５０に送る。
【００１８】
入力部２５０は、状態情報の閲覧要求を受信した旨の情報及び閲覧要求の送り主を識別する情報を受信部２４０から受け取る。そして、入力部２５０は、この閲覧要求の送り主を識別する情報及びこの送り主に閲覧を許可するか否かの入力を促す旨の情報を、画面の表示又は音声を用いて利用者に通知する。続いて、入力部２５０は、状態情報の閲覧を許可するか否かを示す入力を利用者から受け付ける。そして、入力部２５０は、この入力の情報を受信部２４０に返送する。
また、入力部２５０は、利用者から状態情報の変更指示の入力を受け付ける。そして、入力部２５０は、状態情報の変更指示を取得部２１０に送る。
また、入力部２５０は、利用者からスケジュール情報の変更指示の入力を受け付けると、スケジュール情報の変更指示をスケジュール機能提供部２９０に送る。
また、入力部２５０は、利用者から状態情報の閲覧許可解除の入力を受け付ける。そして、入力部２５０は、この閲覧許可解除の指示を、閲覧を解除する通信先端末を識別する情報に対応付けて受信部２４０を経由して閲覧許可入出力部３５０に送る。
【００１９】
スケジュール機能提供部２９０は、状態情報を時刻に応じて変更するスケジュール情報を格納している。このスケジュール情報は、予め定められたスケジュール情報の候補のうちから利用者に選択させることによって設定されてもよいし、利用者によって設定されてもよい。また、スケジュール機能提供部２９０は、入力部２５０からスケジュールの変更指示を受け付けた場合、このスケジュールの変更指示に従い、スケジュール情報を変更する。スケジュール機能提供部２９０は、スケジュール情報に基づき、予め定められた時刻になると状態情報の変更指示を取得部２１０に送る。
【００２０】
次に、情報処理装置３０の機能を説明する。
サーバ側受信部３４０は、第１移動体通信端末２０における状態情報の閲覧要求を、第２移動体通信端末４０の送信部４１０から受信する。そして、サーバ側受信部３４０は、閲覧要求に対して利用者へ入力を要求する旨の指示及び閲覧要求の送り主（例えば第２移動体通信端末４０）を識別する情報を、閲覧許可入出力部３５０に送る。
さらに、サーバ側受信部３４０は、状態情報の更新要求を送信部４１０から受け取ると、この状態情報の更新要求を閲覧許可入出力部３５０を経由して端末状態管理部３６０に送る。
【００２１】
閲覧許可入出力部３５０は、利用者へ入力を要求する旨の指示及び閲覧要求の送り主を識別する情報をサーバ側受信部３４０から受け取る。そして、閲覧許可入出力部３５０は、閲覧要求の送り主を識別する情報及び閲覧要求の送り先を識別する情報を対応付けて登録許可待ちデータベース３５６に記録する。続いて、閲覧許可入出力部３５０は、閲覧要求に対する利用者の入力を求める入力指示を受信部２４０に送る。
【００２２】
閲覧許可入出力部３５０は、閲覧の可否の入力情報を受信部２４０から受け取った場合に、閲覧要求の送り主を識別する情報及び閲覧要求の送り先を識別する情報に登録許可待ちデータベース３５６において削除済を示す印をつける（例えば、実際に削除する）。そして、閲覧許可入出力部３５０は、閲覧の可否の入力情報が閲覧許可を示す場合に、閲覧要求の送り先（例えば第１移動体通信端末２０）を識別する情報、及び閲覧要求の送り主を識別する情報を端末状態管理部３６０に送る。一方、閲覧許可入出力部３５０は、閲覧の可否の入力情報が閲覧不許可を示す場合に、閲覧が拒否された旨の情報を第２移動体通信端末４０に返送する。
なお、閲覧許可入出力部３５０は、本発明に係るサーバ側入力部の一例である。以上のように、閲覧許可入出力部３５０は、サーバ側受信部３４０が閲覧要求を受信した場合に、閲覧要求に対して閲覧を許可するか否かを示す利用者からの入力を、第１移動体通信端末２０の受信部２４０から受け付けることができる。
【００２３】
さらに、閲覧許可入出力部３５０は、閲覧許可解除の指示を、閲覧許可を解除する通信先端末（例えば、第２移動体通信端末４０）を識別する情報に対応付けて受信部２４０を経由して入力部２５０から受信し、端末状態管理部３６０に送る。
【００２４】
端末状態管理部３６０は、閲覧要求の送り先を識別する情報（例えば第２移動体通信端末４０）及び閲覧要求の送り主を識別する情報（例えば第１移動体通信端末２０）を閲覧許可入出力部３５０から受け取る。そして、端末状態管理部３６０は、閲覧要求の送り主を識別する情報及び閲覧要求の送り先を識別する情報を登録状態管理データベース３６４に記録する。よって、端末状態管理部３６０は、状態情報の送り主を識別する情報と、状態情報の閲覧が許可された端末を識別する情報を、対応付けて管理することができる。続いて、端末状態管理部３６０は、第１移動体通信端末２０の状態情報が第２移動体通信端末４０において閲覧可能とされた場合に、下記動作を行う。
【００２５】
端末状態管理部３６０は、第１移動体通信端末２０と通信可能であるか否かを検出する。例えば、第１移動体通信端末２０の保持者が地下道に入った場合や、乗り物等に乗るために第１移動体通信端末２０の電源を切った場合などに、端末状態管理部３６０は、第１移動体通信端末２０と通信可能でないと判断する。そして、端末状態管理部３６０は、第１移動体通信端末２０と通信の可否が変化した場合に、この通信の可否を状態情報としてユーザ管理データベース３６２に記録することにより管理する。また、端末状態管理部３６０は、先行閲覧許可部２３０から状態情報及び当該情報を通知すべき通信先端末を識別する情報を受け取り、登録状態管理データベース３６４に記録することにより管理する。
【００２６】
端末状態管理部３６０は、第１移動体通信端末２０との通信が可能な状態から不可能な状態に変化したと検出した場合に、通信可能でなくなった旨の情報（圏外情報）を、状態情報としてサーバ側閲覧許可部３７０に送る。一方、端末状態管理部３６０は、第１移動体通信端末２０と通信可能になった場合、登録状態管理データベース３６４に記録していた状態情報を再びサーバ側閲覧許可部３７０に送る。また、端末状態管理部３６０は、登録状態管理データベース３６４に記録されている状態情報を変更した場合に、その変更後の状態情報をサーバ側閲覧許可部３７０に送る。また、端末状態管理部３６０は、閲覧許可入出力部３５０を経由してサーバ側受信部３４０から状態情報の更新要求を受け取ると、登録状態管理データベース３６４において管理している状態情報をサーバ側閲覧許可部３７０に送る。なお、端末状態管理部３６０は、第１移動体通信端末２０の状態情報が第２移動体通信端末４０において閲覧可能とされた場合であっても、第１移動体通信端末２０又は第２移動体通信端末４０からの指示により一時的に状態情報の通知を停止することも可能である。
【００２７】
以上に示したそれぞれの動作に対応して、端末状態管理部３６０は、状態情報をサーバ側閲覧許可部３７０に送る毎に、状態情報の送信元を識別する情報（例えば第１移動体通信端末２０の識別情報）、状態情報の送信先を識別する情報（例えば第２移動体通信端末４０の識別情報）、状態情報、及び状態情報の送信日時を、状態通知ログ３６８に記録することにより管理する。これら状態通知ログ３６８に記録された情報は、第１移動体通信端末２０及び第２移動体通信端末４０からの要求に応じて閲覧される。
【００２８】
また、端末状態管理部３６０は、閲覧許可解除の指示を、閲覧許可を解除する通信先端末を識別する情報に対応付けて閲覧許可入出力部３５０から受信すると、以下の動作を行う。端末状態管理部３６０は、登録状態管理データベース３６４を参照することにより、閲覧を解除する通信先端末を識別する情報を用いて、状態情報の送り主を識別する情報及び状態情報の送り先を識別する情報の組み合わせの中から、解除する端末の組み合わせを特定する。そして、端末状態管理部３６０は、この端末の組み合わせを、登録状態管理データベース３６４の中から削除する。続いて、端末状態管理部３６０は、状態情報の送り先であった端末（例えば第２移動体通信端末４０）に対して、閲覧許可を解除した旨の通知を（サーバ側閲覧許可部３７０を経由して）行う。なお、本実施形態において、情報処理装置３０が移動体通信端末２０から閲覧解除の指示を受け取るが、本発明は、上記形態に限定されない。例えば、移動体通信端末４０は、情報処理装置３０に、閲覧解除の指示を送ってもよい。この場合、情報処理装置３０は、状態情報の送り元であった端末（例えば、移動体通信端末２０）に対して、閲覧を解除した旨の通知を送る。
【００２９】
サーバ側閲覧許可部３７０は、端末状態管理部３６０から状態情報を受け取る。そして、サーバ側閲覧許可部３７０は、状態受信部４２０へ状態情報を送ることにより、第２移動体通信端末４０において状態情報を閲覧可能にする。
【００３０】
次に、第２移動体通信端末４０の機能を説明する。
送信部４１０は、アドレス帳機能提供部４４０から、閲覧要求を送信すべき通信先端末の識別情報を受け取る。そして、送信部４１０は、この通信先端末（例えば、第１移動体通信端末２０）を宛先に指定し、状態情報の閲覧要求をサーバ側受信部３４０に送る。また、送信部４１０は、アドレス帳機能提供部４４０によってあるグループに対応付けられた全ての通信先端末に対して、状態情報の閲覧要求を送ってもよい。
さらに、送信部４１０は、第２移動体通信端末４０の利用者が最新の状態情報を情報処理装置３０から取得したい場合、すなわち利用者から通信先端末の状態情報を更新する旨の指示を受け取った場合に、状態情報の更新要求をサーバ側受信部３４０に送る。
【００３１】
状態受信部４２０は、サーバ側閲覧許可部３７０から状態情報を受信する。そして、状態受信部４２０は、状態情報を、表示部４６０に送る。状態受信部４２０は、サーバ側閲覧許可部３７０から状態情報を受信した場合に、利用者に明示的に状態情報を受信した旨を知らせてもよい。例えば、第２移動体通信端末４０が携帯電話である場合に、状態受信部４２０は、状態情報を受信した場合に、携帯電話のバイブレーション機能を作用させてもよい。
【００３２】
アドレス帳機能提供部４４０は、利用者にアドレス帳機能を提供する。例えば、アドレス帳機能提供部４４０は、第２移動体通信端末４０の通信履歴や、通信先識別情報を予め格納している。例えば、アドレス帳機能提供部４４０が格納している通信先識別情報は、第２移動体通信端末４０の利用者が予め入力した通信先の情報に基づき分類されている。そして、アドレス帳機能提供部４４０は、利用者の要求に従い、この通信先識別情報を一覧で表示し、利用者に選択を促す。続いて、アドレス帳機能提供部４４０は、利用者により選択された通信先との通信の確立を試みる。アドレス帳機能提供部４４０は、上記アドレス帳機能を提供するとともに、同一のグループに分類される通信先端末の識別情報を送信部４１０及び一覧表示入力部４５０に送る。
【００３３】
一覧表示入力部４５０は、利用者から通信先識別情報の一覧を表示させる旨の指示入力である一覧表示入力を状態情報と共に受け付ける。すなわち、一覧表示入力部４５０は、アドレス帳機能提供部４４０から同一のグループに分類される通信先端末の識別情報を受け取る。そして、一覧表示入力部４５０は、一覧表示入力及び状態情報を受け付けた場合に、当該同一のグループに分類される通信先端末のうち、この入力された状態情報に対応付けられている通信先端末を選択する。そして、一覧表示入力部４５０は、この選択された通信先端末の識別情報を表示部４６０に送る。
【００３４】
表示部４６０は、一覧表示入力部４５０から通信先端末の識別情報を受け取る。また、表示部４６０は、状態受信部４２０から状態情報を受け取る。そして、表示部４６０は、状態情報を通信先端末の識別情報のそれぞれに対応付けて表示する。このように、表示部４６０は、一覧表示入力が受け付けられた場合に、通信先識別情報及び通信先識別情報のそれぞれに対応付けられた状態情報を一覧表示する。さらに、表示部４６０は、利用者により入力された特定の状態情報に対応付けられた通信先端末の識別情報のみを選択して一覧表示してもよい。このような表示を可能にすることで、移動体通信端末４０は、特定の状態情報にある通信先端末を容易に利用者に認識させることができる。例えば、通話可能な状態の通信先端末を一覧表示することにより、移動体通信端末４０は、利用者間のコミュニケーションを活発にすることができる。また、表示部４６０が表示する通信先識別情報及び状態情報の表示形態は、一覧表示に限定されない。例えば、表示部４６０は、利用者が選択した通信先のみについて、当該通信先に対応付けられた状態情報を表示してもよい。また、表示部４６０は、利用者の通信履歴（発信履歴、着信履歴等）に基づき、発信先や着信先の端末に対応付けられた状態情報を表示してもよい。
【００３５】
図３は、端末状態管理部３６０が管理する状態情報の概念図である。本図を用いて、第１移動体通信端末２０が通信圏内に位置する場合に、状態情報の閲覧を許可した通信先端末（第２移動体通信端末４０等）においてどのような状態情報が閲覧可能となるかを示す。図３（１）は、デフォルト設定フィールドと、圏内フィールドとを含む。デフォルト設定フィールドは、第１移動体通信端末２０の利用者によって状態情報が設定されていない場合に設定される、予め定められた状態情報を示す。圏内フィールドは、第１移動体通信端末２０が通信圏内に位置することを示す。すなわち、図３（１）は、第１移動体通信端末２０の利用者によって状態情報が設定されていない場合において、第１移動体通信端末２０が通信圏内に位置するか否かを示す圏内情報を第２移動体通信端末４０等に通知することを示している。
【００３６】
図３（２）は、グループフィールドと、状態情報フィールドとを含む。グループフィールドは、通信先端末に対応付けられているグループを表す。状態情報フィールドは、第１移動体通信端末２０の利用者によって設定された状態情報を示している。すなわち、図３（２）は、あるグループ（仕事等）の通信先端末（図３（３）の青木、浅野、及び小山田等）に、ある状態情報（会議中等）が対応付けられていることを示している。
【００３７】
図３（３）は、通信先端末フィールドと、状態情報フィールドとを含む。通信先端末フィールドは、第１移動体通信端末２０の通信先端末を識別する情報を示す。状態情報フィールドは、それぞれの通信先端末に対応付けて、第１移動体通信端末２０の利用者によって設定された状態情報を示している。例えば、ある通信先端末（青木等）には、ある状態情報（デート等）が対応付けられている。
【００３８】
本図で示したように、端末状態管理部３６０は、第１移動体通信端末２０の利用者によって通知すべき状態情報が設定されていない端末に対して、圏内情報を通知する。また、端末状態管理部３６０は、通信先端末に通知すべき状態情報が設定されていない通信先端末（例えば、浅野、小山田等）に、当該通信先端末が属するグループに設定されている状態情報（会議中）を通知する。また、端末状態管理部３６０は、通信先端末に状態情報が設定されており、かつグループに状態情報が設定されている通信先端末に対し、何れか１つの状態情報を通知する。例えば、端末状態管理部３６０は、これらの状態情報のうち、より最近に設定された状態情報を通知する。
なお、端末状態管理部３６０は、図３（１）に示した情報をユーザ管理データベース３６２に記録して管理する。また、端末状態管理部３６０は、図３（２）及び（３）に示した情報を登録状態管理データベース３６４に記録して管理する。
【００３９】
図４は、取得部２１０が利用者に状態情報の入力を促す表示例及び取得部２１０が入力部２５０を介して状態情報を取得する入力例を示す。図４（１）において、利用者により状態登録が選択されると、取得部２１０は、図４（２）に例示するように、状態情報の属するカテゴリーを選択させる。そして、利用者によってあるカテゴリーが選択されると、取得部２１０は、図４（３）において、そのカテゴリーに属する状態情報を一覧表示し、利用者の入力を促す。このように、取得部２１０は、状態情報を利用者から取得することにより、端末状態管理部３６０が管理する状態情報を更新させることができる。通知する状態情報が選択されると、続いて、取得部２１０は、その状態情報を通知する通信先端末の選択を利用者に促す。
【００４０】
図４（４）は、状態情報を、グループに対応付けられた全員、個人、又は一斉同報の何れに通知するかを選択させる表示例である。グループに対応付けられた全員が選択されると、取得部２１０は、第１移動体通信端末２０が予め格納している通信先のアドレス帳の分類情報に基づき、通知するグループの候補を表示する。そして、通知するグループが選択されると、取得部２１０は、図４（６）に例示するように、状態情報の確認画面を表示する。続いて、取得部２１０は、利用者の確認を受け付けた場合に、状態情報及び当該情報を通知すべき通信先端末を識別する情報を先行閲覧許可部２３０に送る。
【００４１】
図４（４）において、個人が選択されると、取得部２１０は、第１移動体通信端末２０が予め格納している通信先のアドレス帳に基づき、図４（７）のように、通知する通信先端末の一覧を表示する。そして、通知する個人が選択されると、取得部２１０は、図４（８）に例示するように、状態情報の確認画面を表示する。続いて、取得部２１０は、利用者の確認を受け付けた場合に、状態情報及び当該情報を通知すべき通信先端末を識別する情報を先行閲覧許可部２３０に送る。
【００４２】
図４（４）において、一斉同報が選択されると、取得部２１０は、図４（９）に例示するように、状態情報の確認画面を表示する。続いて、取得部２１０は、利用者の確認を受け付けた場合に、状態情報及びアドレス帳に登録される全員を示す識別情報を先行閲覧許可部２３０に送る。
以上に示したように、取得部２１０は、状態情報と、当該情報の通知先を利用者から取得することができる。
【００４３】
図５は、ユーザ管理データベース３６２のデータ構造の一例を示す。ユーザ管理データベース３６２は、契約者番号フィールドと、通知フラグフィールドと、表示フラグフィールドと、端末状態フィールドとを含む。契約者番号フィールドは、移動体通信端末を識別する情報の一例である電話番号を示している。通知フラグフィールドは、契約者番号により識別される端末における状態情報を、通信先端末に通知させるか否かを示す。表示フラグフィールドは、契約者番号により識別される端末において、当該端末の通信先端末における状態情報を表示するか否かを示す。端末状態フィールドは、契約者番号により識別される端末が通信圏内に位置するか否かの情報を示す。
【００４４】
端末状態管理部３６０は、契約者番号フィールド及び端末状態フィールドを参照することにより、状態情報の送信元端末（例えば第１移動体通信端末２０）が通信圏内に位置するか否かを管理することができる。また、端末状態管理部３６０は、通知フラグフィールドを参照することにより、第１移動体通信端末２０の通信先端末（例えば第２移動体通信端末４０）に対し、状態情報の閲覧を一旦許可した場合においても、一時的に状態情報の通知を停止することができる。また、端末状態管理部３６０は、表示フラグフィールドを参照することにより、第１移動体通信端末２０が第２移動体通信端末４０の状態情報を閲覧可能であり、かつ情報処理装置３０が第１移動体通信端末２０の通信先端末（例えば第２移動体通信端末４０）の状態情報を受け取った場合においても、一時的に状態情報の表示を停止することができる。
【００４５】
図６は、登録状態管理データベース３６４のデータ構造の一例を示す。登録状態管理データベース３６４は、通知元契約者番号フィールドと、通知先契約者番号フィールドと、通知先契約者名フィールドと、グループ番号フィールドと、ユーザ登録状態情報フィールドと、詳細メッセージフィールドとを含む。通知元契約者番号フィールドは、状態情報の送り主を識別する情報（電話番号等）を示す。通知先契約者番号フィールドは、状態情報の送り先を識別する情報（電話番号等）を示す。通知先契約者名フィールドは、状態情報の送り先の端末における利用者を識別する情報（氏名等）を示す。グループ番号フィールドは、通知先契約者番号フィールドが示す端末が、通知元契約者番号フィールドが示す端末において分類されるグループを識別する情報（番号等）示している。ユーザ登録状態情報フィールドは、通知元契約者番号フィールドが識別する端末が通知先契約者番号フィールドが識別する端末に通知する、状態情報を示している。詳細メッセージフィールドは、ユーザ登録状態情報フィールドが示す状態情報に対応付けて、当該情報と共に通知する詳細なメッセージを示している。
【００４６】
端末状態管理部３６０は、新たに状態情報の閲覧が許可されると、状態情報の送信元を識別する情報及び状態情報の送信先を識別する情報を登録状態管理データベース３６４に記録する。さらに、端末状態管理部３６０は、送信先に対応付けられたグループを識別する情報を登録状態管理データベース３６４に記録する。
【００４７】
よって、端末状態管理部３６０は、新たな状態情報を第１移動体通信端末２０から受信した場合に、当該情報を、登録状態管理データベース３６４のユーザ登録状態情報フィールドに記録することができる。また、端末状態管理部３６０は、新たな状態情報と共に、グループを識別する情報を受信した場合に、当該グループに対応付けられた全ての端末に、状態情報を対応付けて管理することができる。
【００４８】
さらに、本図で示したデータ構造を用いることにより、通信システム１０は、第１移動体通信端末２０又は第２移動体通信端末４０のアドレス帳を誤って削除した場合の復旧機能を提供することができる。例えば、端末状態管理部３６０は、登録状態管理データベース３６４が格納するデータの全部又は一部を送信する旨の指示を、第１移動体通信端末２０又は第２移動体通信端末４０から受け取った場合に、当該端末に、データの全部又は一部を送信する。特に、登録状態管理データベース３６４が格納する通知先契約者番号、通知先契約社名、及びグループ番号は、第１移動体通信端末２０又は第２移動体通信端末４０が提供するアドレス帳機能と類似する。よって、通信システム１０は、利用者により登録状態管理データベース３６４に予めアドレス帳の一部を記録させることにより、アドレス帳の復旧機能を提供することができる。
【００４９】
図７は、登録許可待ちデータベース３５６のデータ構造の一例を表す。登録許可待ちデータベース３５６は、要求元契約者番号フィールドと、要求先契約者番号フィールドとを含む。要求元契約者番号フィールドは、状態情報の閲覧要求の送信元（例えば、第２移動体通信端末４０）を識別する情報（電話番号等）を格納している。要求先契約者番号フィールドは、状態情報の閲覧要求の送信先（例えば、第１移動体通信端末２０）を識別する情報（電話番号等）を格納している。閲覧許可入出力部３５０は、閲覧要求の送り主を識別する情報及び閲覧要求の送り先を識別する情報を対応付けて登録許可待ちデータベース３５６に記録する。そして、閲覧許可入出力部３５０は、閲覧の可否の入力情報を受信部２４０から受け取った場合に、登録許可待ちデータベース３５６を用いて、閲覧要求に対する許可を待っている端末を特定することができる。よって、閲覧許可入出力部３５０は、閲覧の可否の入力情報を受信部２４０から受け取った場合に、閲覧要求の送り主を識別する情報及び閲覧要求の送り先を識別する情報を対応付けて端末状態管理部３６０に送ることができる。
【００５０】
図８は、状態通知ログ３６８のデータ構造の一例を表す。状態通知ログ３６８は、通知元契約者番号フィールドと、通知先契約者番号フィールドと、通知日時フィールドと、ユーザ登録状態フィールドと、詳細メッセージフィールドとを含む。通知元契約者番号フィールドは、状態情報の送信元の端末（例えば第１移動体通信端末２０）を識別する情報（電話番号等）を格納する。通知先契約者番号フィールドは、状態情報の送信先の端末（例えば第２移動体通信端末４０）を識別する情報（電話番号等）を格納する。通知日時フィールドは、情報処理装置３０が第１移動体通信端末２０等の送信元の端末から登録された状態情報を、第２移動体通信端末４０等の送信先の端末に送信した日時を格納する。ユーザ登録状態フィールドは、送信された状態情報の履歴を格納する。詳細メッセージフィールドは、状態情報と共に送信された詳細なメッセージを格納している。
【００５１】
端末状態管理部３６０は、状態情報を送信する毎に、以上に示したフィールドに対応する情報を記録する。そして、第１移動体通信端末２０又は第２移動体通信端末４０の要求に応じて、上記情報を一覧表示させることができる。よって、第１移動体通信端末２０又は第２移動体通信端末４０の利用者は、当該利用者又は通信先端末の所有者の過去の状態情報を閲覧することができる。
【００５２】
なお、本図に示した状態通知ログ３６８は、通知日時フィールドに未来の時間を格納させることにより、状態情報の通知スケジュールを予め格納しておくことができる。この場合、端末状態管理部３６０は、この通知スケジュールに従い、登録状態管理データベース３６４のユーザ登録状態情報フィールドの状態情報を更新する。そして、情報処理装置３０は、この通知スケジュールに従い、更新された状態情報を第２移動体通信端末４０に通知することができる。
【００５３】
図９〜１３に示すフローチャートを用いて、通信システム１０が状態情報の閲覧を可能にする動作及び状態情報を通知する動作を説明する。
【００５４】
図９は、通信システム１０の動作を表すフローチャートである。送信部４１０は、情報処理装置３０を経由して第１移動体通信端末２０に閲覧要求を送信する（Ｓ５００）。第１移動体通信端末２０の受信部２４０が閲覧要求を受信すると、入力部２５０は、利用者から閲覧を許可するか否かの入力を受け付ける（Ｓ５１０）。そして、第１移動体通信端末２０の受信部２４０は、入力を受け付けた旨の情報を第２移動体通信端末４０に通知する（Ｓ５１５）。また、第１移動体通信端末２０の受信部２４０は、この入力の情報を情報処理装置３０に送る。一方、情報処理装置３０の端末状態管理部３６０は、閲覧許可入出力部３５０が閲覧の許可を受け取った場合に、状態情報の閲覧を許可した端末及び当該情報の閲覧を許可された端末を登録状態管理データベース３６４に記録することにより登録する（Ｓ５２０）。
【００５５】
続いて、第１移動体通信端末２０、情報処理装置３０、及び第２移動体通信端末４０は、状態情報の通知を行う（Ｓ５３０）。通信システム１０は、Ｓ５３０として、図１０ないし図１３それぞれが示す動作を繰り返し行う。なお、Ｓ５３０が示す動作の詳細については、図１０、図１１、図１２、及び図１３を用いて説明するので、ここでの説明を省略する。
【００５６】
第２移動体通信端末４０は、閲覧許可の解除する旨の指示を情報処理装置３０に送る（Ｓ５４０）。情報処理装置３０は、閲覧許可を解除する旨の指示を受け取ると、登録状態管理データベース３６４が格納する通知元契約者番号及び通知先契約者番号から、当該指示の送信元及び送信先の組み合わせを削除する（Ｓ５５０）。そして、情報処理装置３０は、当該指示の送信元により閲覧許可が解除された旨の情報を第１移動体通信端末２０に送る（Ｓ５６０）。第１移動体通信端末２０は、閲覧許可が解除された旨の情報を受け取ると、閲覧許可が解除された旨の情報を利用者に提示する。
【００５７】
図１０は、図９におけるＳ５３０の動作の一例を示す。第１移動体通信端末２０は、通信可能な基地局があるか否かを判断する（Ｓ６００）。通信可能な基地局がある場合（Ｓ６００：ＹＥＳ）、第１移動体通信端末２０は、当該第１移動体通信端末２０が通信圏内に位置する旨の通知を情報処理装置３０に定期的に送る（Ｓ６１０）。情報処理装置３０の端末状態管理部３６０は、第１移動体通信端末２０が通信圏内又は通信圏外に位置するかを基地局の状態（例えば、基地局のホームメモリ）を用いて検出する（Ｓ６２０）。端末状態管理部３６０は、第１移動体通信端末２０の通信圏内又は通信圏外の状態が変化したか否かを判断する（Ｓ６３０）。サーバ側閲覧許可部３７０は、第１移動体通信端末２０の状態情報を第２移動体通信端末４０に送る。すなわち、通信圏内から通信圏外に状態が変化した場合に、サーバ側閲覧許可部３７０は、通信圏外である旨を状態情報として第２移動体通信端末４０に送る。一方、通信圏外から通信圏内に状態が変化した場合に、利用者によって設定されたユーザ設定状態を第２移動体通信端末４０に送る。第２移動体通信端末４０の表示部４６０は、利用者の要求に応じて、状態情報を表示する（Ｓ６５０）。
【００５８】
図１１は、図９におけるＳ５３０の動作の一例を示す。第１移動体通信端末２０の取得部２１０は、状態情報であるユーザ設定情報の変更を利用者から取得する（Ｓ７００）。そして、取得部２１０は、変更を通知する通信先端末を利用者から取得する（Ｓ７１０）。続いて、先行閲覧許可部２３０は、変更後の状態情報及び通信先端末の識別情報を情報処理装置３０に送信する（Ｓ７２０）。情報処理装置３０の端末状態管理部３６０は、状態情報及び通信先端末の識別情報を受け取り、第２移動体通信端末４０に送る（Ｓ７３０）。そして、端末状態管理部３６０は、これらの状態情報及び通信先端末の識別情報に基づき、状態通知ログを更新する（Ｓ７４０）。第２移動体通信端末４０の表示部４６０は、利用者の指示に従い、状態情報を表示する（Ｓ７５０）。
【００５９】
図１２は、図９におけるＳ５３０の動作の一例を示す。第２移動体通信端末４０の送信部４１０は、第１移動体通信端末２０における最新の状態情報を表示させる指示である更新要求を情報処理装置３０に送る（Ｓ８００）。情報処理装置３０の端末状態管理部３６０は、第１移動体通信端末２０が通信圏外であるか否かを判断する（Ｓ８１０）。第１移動体通信端末２０が通信圏外であると判断した場合に（Ｓ８１０：ＹＥＳ）、端末状態管理部３６０は、第１移動体通信端末２０が通信圏外である旨の情報を第２移動体通信端末４０に通知する。第１移動体通信端末２０が通信圏外でないと判断した場合に（Ｓ８１０：ＮＯ）、端末状態管理部３６０は、第１移動体通信端末２０のユーザ設定情報が登録されているか否かを登録状態管理データベース３６４を参照することにより判断する（Ｓ８３０）。第１移動体通信端末２０のユーザ設定情報が登録されていない場合（Ｓ８３０：ＮＯ）に、端末状態管理部３６０は、第１移動体通信端末２０が通信圏内である旨を第２移動体通信端末４０に通知する（Ｓ８４０）。第１移動体通信端末２０のユーザ設定情報が登録されている場合（Ｓ８３０：ＹＥＳ）に、端末状態管理部３６０は、ユーザ設定状態情報を第２移動体通信端末４０に通知する。第２移動体通信端末４０の表示部４６０は、利用者の要求に従い、受信した状態情報を表示する（Ｓ８６０）。
【００６０】
図１３は、図９におけるＳ５３０の動作の一例を示す。第１移動体通信端末２０の先行閲覧許可部２３０は、スケジュール機能提供部２９０の機能を用いて特定される状態情報の通知スケジュールを、情報処理装置３０に通知する（Ｓ９００）。情報処理装置３０の端末状態管理部３６０は、通知スケジュールを先行閲覧許可部２３０から受け取ると、状態通知ログ３６８にこの通知スケジュールを記録することにより管理する（Ｓ９１０）。そして、端末状態管理部３６０は、通知スケジュールに基づき、通知時刻に達したか否かを判断する（Ｓ９２０）。通知時刻に達したと判断された場合に（Ｓ９２０：ＹＥＳ）、端末状態管理部３６０は、状態情報を第２移動体通信端末４０に通知する（Ｓ９３０）。第２移動体通信端末４０の表示部４６０は、利用者の要求に従い、状態情報を表示する（Ｓ９４０）。
【００６１】
（第２の実施形態）
図１４は、第２の実施形態における通信システム１０の機能ブロック図を示す。第２の実施形態における通信システム１０の概略図は、第１の実施形態における通信システム１０の概略図と略同一であるので説明を省略する。通信システム１０は、第１移動体通信端末２０と、情報処理装置３０と、第２移動体通信端末４０とを備える。第１移動体通信端末２０は、取得部２１０と、状態格納部２２０と、先行閲覧許可部２３０と、受信部２４０と、入力部２５０と、アドレス帳機能提供部２６０と、通信先格納部２７０と、閲覧許可部２８０とを有する。情報処理装置３０は、端末状態格納部３１０と、サーバ側閲覧許可部３２０とを有する。第２移動体通信端末４０は、送信部４１０と、状態受信部４２０と、判断部４３０と、アドレス帳機能提供部４４０と、一覧表示入力部４５０と、表示部４６０とを有する。
【００６２】
まず、第１移動体通信端末２０の機能について説明する。
取得部２１０は、状態情報を外部から取得することにより、状態格納部２２０の状態情報を更新する。すなわち、取得部２１０は、利用者から状態情報の変更指示を受け付ける。そして、取得部２１０は、変更指示に従い、新たな状態情報を生成する。続いて、取得部２１０は、この新たな状態情報を状態格納部２２０に送る。本実施形態において、状態情報とは、第１移動体通信端末２０の利用者の状態を示す。例えば、取得部２１０は、利用者が会議に参加して第１移動体通信端末２０を操作できなくなる場合に、会議中という状態情報を取得する。また、利用者によって予め定められた時間に、取得部２１０は、状態情報を更新してもよい。例えば、利用者は、一日の予定表を第１移動体通信端末２０に格納しておく、そして、取得部２１０は、この予定表に従い、状態情報を更新してもよい。
【００６３】
状態格納部２２０は、第１移動体通信端末２０の利用者の状態情報を複数格納する。すなわち、状態格納部２２０は、初期状態として、予め定められた状態情報を格納している。そして、状態格納部２２０は、取得部２１０から新たな状態情報を受け取った場合に、状態情報を更新する。さらに、状態格納部２２０は、通信先端末に、複数の状態情報の何れかを対応付けて格納している。そして、状態格納部２２０は、先行閲覧許可部２３０及び閲覧許可部２８０の要求に従い、複数の状態情報の何れかを先行閲覧許可部２３０及び閲覧許可部２８０に送る。例えば、状態格納部２２０は、状態情報として、「会議中」及び「連絡可」の２つの状態情報を格納する。そして、状態格納部２２０は、ある端末（例えば第２移動体通信端末４０）に「会議中」を対応付けて格納する。一方、状態格納部２２０は、他の端末に「連絡可」を対応付けて格納する。こうすることで、状態格納部２２０は、閲覧許可部２８０に、通信先端末に応じて異なる状態情報を通知させることができる。
【００６４】
先行閲覧許可部２３０は、状態情報の閲覧要求及び利用者からの入力に関わらず、状態情報を端末状態格納部３１０に予め送信する。すなわち、先行閲覧許可部２３０は、状態格納部２２０の状態情報が更新されるたびに、状態格納部２２０から状態情報を受け取る。そして、先行閲覧許可部２３０は、状態情報を端末状態格納部３１０に送る。ここで、先行閲覧許可部２３０が状態情報を受け取るタイミングは、上記動作に限定されない。例えば、先行閲覧許可部２３０は、定期的に、状態格納部２２０から状態情報を受け取ってもよいし、第１移動体通信端末２０への入力のタイミングに応じて、状態情報を受け取ってもよい。
【００６５】
受信部２４０は、移動体通信網に接続される通信先端末である第２移動体通信端末４０の送信部４１０から状態情報の閲覧要求を受信する。そして、受信部２４０は、状態情報の閲覧要求を受信した旨の情報と、この閲覧要求の送り主すなわち第２移動体通信端末４０を識別する情報とを入力部２５０に送る。
【００６６】
入力部２５０は、受信部２４０が閲覧要求を受信した場合に、状態情報の閲覧を許可するか否かを示す入力を利用者から受け付ける。すなわち、入力部２５０は、状態情報の閲覧要求を受信した旨の情報及び閲覧要求の送り主を識別する情報を受信部２４０から受け取る。そして、入力部２５０は、この閲覧要求の送り主を識別する情報及びこの送り主に閲覧を許可するか否かの入力を促す旨の情報を、画面の表示又は音声を用いて利用者に通知する。続いて、入力部２５０は、状態情報の閲覧を許可するか否かを示す入力を利用者から受け付ける。そして、入力部２５０は、この入力の情報及び閲覧要求の送り主を識別する情報を閲覧許可部２８０に送る。
【００６７】
アドレス帳機能提供部２６０は、利用者にアドレス帳機能を提供する。例えば、アドレス帳機能提供部２６０は、第１移動体通信端末２０の通信履歴や、第１移動体通信端末２０の利用者が予め入力した通信先の情報に基づき分類されている通信先識別情報を予め格納している。そして、アドレス帳機能提供部２６０は、利用者の要求に従い、この通信先識別情報を一覧で表示し、利用者に選択を促す。続いて、アドレス帳機能提供部２６０は、利用者により選択された通信先との通信の確立を試みる。アドレス帳機能提供部２６０は、上記アドレス帳機能を提供するとともに、通信先識別情報の分類に基づく情報を通信先格納部２７０に送る。
【００６８】
通信先格納部２７０は、アドレス帳機能提供部２６０から通信先識別情報の分類に基づく情報を受け取る。そして、通信先格納部２７０は、この通信先識別情報の分類に基づき、複数の通信先端末のそれぞれを複数のグループに対応付けて格納する。通信先格納部２７０は、必要に応じて、複数の通信先端末の情報及びグループの情報を閲覧許可部２８０に送る。
【００６９】
閲覧許可部２８０は、入力部２５０への入力に基づいて、通信先端末である第２移動体通信端末４０において状態情報を閲覧可能にする。すなわち、閲覧許可部２８０は、入力部２５０から入力の情報及び閲覧要求の送り主の情報を受け取る。また、閲覧許可部２８０は、閲覧要求の送り主である通信先端末が対応付けられたグループの情報を通信先格納部２７０から受け取る。そして、閲覧許可部２８０は、通信先端末に対応付けられたグループ毎に異なる状態情報を状態格納部２２０から受け取る。閲覧許可部２８０は、入力部２５０への入力が閲覧許可を示す場合に、この状態情報を状態受信部４２０に送る。また、閲覧許可部２８０は、入力部２５０への入力が閲覧許可を示す場合に、状態情報の閲覧を許可する旨の情報及び閲覧要求の送り主の情報を端末状態格納部３１０に送る。さらに、閲覧許可部２８０は、閲覧が許可された通信先端末に対して、定期的に状態情報を通知する。この場合、閲覧許可部２８０は、通信先端末に対応付けられたグループ毎に異なる頻度で、状態情報を状態受信部４２０に通知することにより、通信先端末における状態情報を更新する。
また、利用者から閲覧許可を取り消したい旨の指示を受け付けた場合には、閲覧許可部２８０は、通信先端末との確認の通信を行うことなく、状態情報の送信を停止する。
【００７０】
次に、情報処理装置３０の機能を説明する。
端末状態格納部３１０は、先行閲覧許可部２３０から状態情報を受け取る。また、端末状態格納部３１０は、状態情報の閲覧を許可する旨の情報及び閲覧要求の送り主の情報を閲覧許可部２８０から受け取る。そして、端末状態格納部３１０は、状態情報を、閲覧要求の送り主の情報に対応付けて格納する。端末状態格納部３１０は、サーバ側閲覧許可部３２０の要求に応じ、状態情報及び閲覧要求の送り主の情報をサーバ側閲覧許可部３２０に送る。
【００７１】
サーバ側閲覧許可部３２０は、利用者の入力に基づいて、状態情報を第２移動体通信端末４０において閲覧可能にする。すなわち、サーバ側閲覧許可部３２０は、端末状態格納部３１０から閲覧要求の送り主の情報を受け取る。そして、サーバ側閲覧許可部３２０は、第２移動体通信端末４０への閲覧が許可されているか否かを判断する。第２移動体通信端末４０への閲覧が許可されている場合に、サーバ側閲覧許可部３２０は、状態受信部４２０へ状態情報を送る。サーバ側閲覧許可部３２０は、状態受信部４２０へ状態情報を定期的に送る。また、サーバ側閲覧許可部３２０は、端末状態格納部３１０の状態情報が更新された場合に、更新された後の状態情報を状態受信部４２０に送ってもよい。
【００７２】
次に、第２移動体通信端末４０の機能を説明する。
送信部４１０は、あるグループに対応付けられた全ての通信先端末に対し、状態情報の閲覧要求を送信する。すなわち、送信部４１０は、アドレス帳機能提供部４４０から、閲覧要求を送信すべき通信先端末の識別情報を受け取る。そして、送信部４１０は、この通信先端末（例えば、第１移動体通信端末２０）に対して、状態情報の閲覧要求を送る。送信部４１０は、第１移動体通信端末２０の他に、アドレス帳機能提供部４４０によってあるグループに対応付けられた全ての通信先端末に対して、状態情報の閲覧要求を送る。
【００７３】
状態受信部４２０は、閲覧許可部２８０又はサーバ側閲覧許可部３２０から状態情報を受信する。すなわち、状態受信部４２０は、第１移動体通信端末２０と通信可能な場合には、閲覧許可部２８０から状態情報を受け取る。また、状態受信部４２０は、第１移動体通信端末２０と通信不能な場合には、通信先端末との通信を中継する装置である情報処理装置３０のサーバ側閲覧許可部３２０から状態情報を受け取る。また、状態受信部４２０は、情報処理装置３０から状態情報を受信する旨の指示を、判断部４３０から受け取った場合に、情報処理装置３０から状態情報を受け取る。そして、状態受信部４２０は、状態情報を受け取った旨の情報を判断部４３０に送る。また、状態受信部４２０は、状態情報を、表示部４６０に送る。
また、状態受信部４２０は、第２移動体通信端末４０の利用者から状態を更新したい旨の入力を受け付けた場合や、利用者が第２移動体通信端末４０の利用を開始した場合に、第１移動体通信端末２０又は情報処理装置３０から状態情報を受け取ってもよい。
【００７４】
判断部４３０は、状態受信部４２０が予め定められた期間において状態情報を受信したか否かを判断する。すなわち、判断部４３０は、状態受信部４２０が状態情報を受け取る毎に、状態受信部４２０から状態情報を受け取った旨の情報を受け取る。そして、判断部４３０は、状態受信部４２０が状態情報を最後に受け取ってから、予め定められた期間が経過したか否かを判断する。判断部４３０は、予め定められた期間が経過したと判断した場合に、サーバ側閲覧許可部３２０から状態情報を受け取る旨の指示を状態受信部４２０に送る。
【００７５】
アドレス帳機能提供部４４０は、利用者にアドレス帳機能を提供する。例えば、アドレス帳機能提供部４４０は、第２移動体通信端末４０の通信履歴や、第２移動体通信端末４０の利用者が予め入力した通信先の情報に基づき分類されている通信先識別情報を予め格納している。そして、アドレス帳機能提供部４４０は、利用者の要求に従い、この通信先識別情報を一覧で表示し、利用者に選択を促す。続いて、アドレス帳機能提供部４４０は、利用者により選択された通信先との通信の確立を試みる。アドレス帳機能提供部４４０は、上記アドレス帳機能を提供するとともに、同一のグループに分類される通信先端末の識別情報を送信部４１０及び一覧表示入力部４５０に送る。
【００７６】
一覧表示入力部４５０は、利用者から通信先識別情報の一覧を表示させる旨の入力である一覧表示入力を受け付ける。すなわち、一覧表示入力部４５０は、アドレス帳機能提供部４４０から同一のグループに分類される通信先端末の識別情報を受け取る。そして、一覧表示入力部４５０は、一覧表示入力を受け付けた場合に、この通信先端末の識別情報を表示部４６０に送る。
【００７７】
表示部４６０は、一覧表示入力が受け付けられた場合に、通信先識別情報及び通信先識別情報のそれぞれに対応付けられた状態情報を一覧表示する。すなわち、表示部４６０は、一覧表示入力部４５０から通信先端末の識別情報を受け取る。また、表示部４６０は、状態受信部４２０から状態情報を受け取る。そして、表示部４６０は、状態情報を通信先端末の識別情報のそれぞれに対応付けて表示する。
【００７８】
図１５は、状態格納部２２０及び通信先格納部２７０のデータ構成の一例を示す。状態格納部２２０及び通信先格納部２７０は、グループフィールドと、通信先端末フィールドと、状態情報フィールドと、頻度フィールドとを含む。より厳密には、例えば、状態格納部２２０は、グループフィールドと、通信先端末フィールドを含む。そして、通信先格納部２７０はグループフィールドと、状態情報フィールドと、頻度フィールドとを含む。よって、図１５で示した表は、状態格納部２２０及び通信先格納部２７０のグループフィールドに基づき、暗黙的に導き出される関係を表す。
【００７９】
グループフィールドは、利用者によって予め定められており、通信先端末が何れのグループに対応付けられているかの情報を示している。通信先端末フィールドは、それぞれのグループに対応付けられている通信先端末の識別情報を示している。状態情報フィールドは、それぞれのグループに対応付けられた通信先端末に対して、第１移動体通信端末２０の状態情報としてどのような情報を閲覧させるかを示している。例えば、状態格納部２２０は、「会議中」、「ひま」等の、予め定められた状態情報から利用者が選択した情報を格納する。また、状態格納部２２０は、利用者が独自に設定した状態情報を格納してもよい。また、状態格納部２２０は、第１移動体通信端末２０が通信圏内にあるか否かの情報を格納してもよい。頻度フィールドは、状態情報をできるだけ新しい状態に保つために、状態情報の更新を行う頻度を表している。
【００８０】
このように、通信先格納部２７０は、複数の通信先端末のそれぞれを、複数のグループの何れかに対応付けて格納する。そして、状態格納部２２０は、複数のグループのそれぞれに、複数の状態情報の何れかを対応付けて格納している。よって、閲覧許可部２８０は、通信先端末に対応付けられたグループ毎に異なる状態情報を閲覧可能にすることができる。また、閲覧許可部２８０は、通信先端末に対応付けられたグループ毎に異なる頻度で、状態情報を更新することができる。
【００８１】
図１６は、アドレス帳機能提供部２６０が提供するアドレス帳機能の概要を表す。アドレス帳機能提供部２６０は、利用者にアドレス帳機能を提供する。例えば、アドレス帳機能提供部２６０は、利用者からアドレス帳機能の起動指示を受け付ける（図１６（Ａ）の１）。そして、アドレス帳機能提供部２６０は、通信識別情報の分類を表示する（図１６（Ｂ））。続いて、アドレス帳機能提供部２６０は、選択された分類（例えば、図１６（Ｂ）の２）について、通信先識別情報を一覧で表示し（図１６の（Ｃ））、利用者に選択を促す。また、図１６（Ｃ）の４に示すように、アドレス帳機能提供部２６０は、グループ全体に対する設定、例えば、状態情報の通知の頻度や、複数の状態情報のうち何れの状態情報を通知するかを設定することができる。
【００８２】
このように、通信先格納部２７０は、アドレス帳機能提供部２６０によって提供される分類に基づき、複数の通信先端末のそれぞれを複数のグループの何れかに対応付けて格納する。よって、閲覧許可部２８０は、複数の通信先端末それぞれに、当該複数の通信先端末それぞれの分類に応じて異なる状態情報を閲覧可能にする設定を行うことができる。また、閲覧許可部２８０は、分類に応じて異なる頻度で状態情報を更新する設定を行うことができる。
【００８３】
図１７は、表示部４６０の表示例を表す。本図は、アドレス帳機能提供部４４０及び一覧表示入力部４５０により、アドレス帳を一覧表示した表示の一例を示す。例えば、「山田」は、通信先の識別情報を示す。また、「０３−ＸＸＸＸ−ＹＹＹＹ」は、通信先の属性情報を示す。表示部４６０は、この通信先の識別情報を、３文字までの状態情報である「会議中」等に対応付けて表示する。表示部４６０は、第２移動体通信端末４０又は第１移動体通信端末２０の利用者によって予め定められた絵文字を、通信先の識別情報に対応付けて表示してもよい。
【００８４】
また、本図において、表示部４６０は、移動体通信端末の主表示画面における表示するが、表示形態はこの形態に限定されない。例えば、表示部４６０は、主表示画面の背面或いは側面に状態情報を表示してもよい。この場合、表示部４６０は、例えば、第２移動体通信端末４０が折畳式携帯電話である場合に、利用者の開閉操作に関わらず、状態情報を表示することができる。さらに、表示部４６０は、状態情報を、移動体通信端末の通信履歴（例えば、発信履歴、着信履歴など）に対応付けて表示してもよい。
【００８５】
このように、一覧表示入力部４５０は、アドレス帳機能に連動して、通信先の状態情報を一覧表示することができる。よって、利用者は、既存の携帯電話等で馴染み深い操作方法や表示方法を用いて、通信先の状態情報を分かりやすく表示させ、通信先を選択することができる。そして、送信部４１０は、アドレス帳の分類に基づくグループの通信先端末に対して、一斉に閲覧要求を送ることができる。
また、利用者は、アドレス帳機能を起動して、通信を開始しようとする時に、通信先の利用者の状態を知ることができる。よって、利用者は、通信先の利用者の状態に応じて、通信を開始するべきか通信を控えるべきかを判断することができる。
【００８６】
なお、本実施形態においては、アドレス帳機能提供部４４０は、第２移動体通信端末４０に設けられている。しかし、アドレス帳機能提供部４４０の設置位置は、本形態に限定されない。例えば、アドレス帳機能提供部４４０の一部又は全部は、移動体通信網を管理するサーバや、通信を中継するサーバによってＡＳＰ（Ａｃｔｉｖｅ  Ｓｅｒｖｅｒ  Ｐａｇｅｓ）、ＣＧＩ、又はＪａｖａ等を用いて提供され、移動体通信端末と協調して動作してもよい。
【００８７】
図１８は、端末状態格納部３１０のデータ構成の一例を示す。端末状態格納部３１０は、識別情報フィールドと、イメージフィールドと、状態情報フィールドとを含む。識別情報フィールドは、状態情報の送信元の移動体通信端末を識別する識別情報を示す。例えば、識別情報である「山岡」は、第１移動体通信端末２０に対応する。イメージフィールドは、状態情報を通信先端末（例えば、第２移動体通信端末４０）において閲覧させる場合に、状態情報とあわせて表示する絵を示す。状態情報フィールドは、通信先端末において閲覧させる状態情報を示す。
【００８８】
このように、端末状態格納部３１０は、状態情報を、状態情報の送信元を識別する識別情報に対応付けて格納する。よって、端末状態格納部３１０は、複数の移動体通信端末それぞれにおける利用者の状態を示す状態情報を格納することができる。
【００８９】
図１９は、通信システム１０のフローチャートである。送信部４１０は、状態情報の閲覧要求を第１移動体通信端末２０に送る（Ｓ４１０）。また、先行閲覧許可部２３０は、予め状態情報を情報処理装置３０に送る（Ｓ２１０）。端末状態格納部３１０は、状態情報を先行閲覧許可部２３０から受け取り、格納する（Ｓ３１０）。
【００９０】
入力部２５０は、状態情報の閲覧を許可するか否かを示す入力を利用者から受け付ける（Ｓ２２０）。そして、閲覧許可部２８０は、この入力に基づき、状態情報の閲覧が許可されたか否かを判断する（Ｓ２３０）。状態情報の閲覧が許可された場合（Ｓ２３０：ＹＥＳ）、閲覧許可部２８０は、状態情報の閲覧を許可する旨の信号を端末状態格納部３１０に送る（Ｓ２４０）。続いて、閲覧許可部２８０は、状態情報を第２移動体通信端末４０に送り（Ｓ２５０）、このＳ２５０を定期的に行う。
【００９１】
判断部４３０は、所定期間において状態情報を受信していないか判断する（Ｓ４２０）。判断部４３０は、所定期間において状態情報を受信していない場合（Ｓ４２０：ＹＥＳ）、状態情報の送信を情報処理装置３０に要求する（Ｓ４３０）。サーバ側閲覧許可部３２０は、Ｓ２４０にて閲覧許可部２８０から受け取った閲覧許可に基づき、状態情報を第２移動体通信端末４０に送る（Ｓ３２０）。表示部４６０は、状態情報をアドレス帳のグループに対応付けて利用者に対して表示する（Ｓ４４０）。
【００９２】
このように、通信システム１０は、利用者の閲覧許可の入力に基づき、状態情報の閲覧を制御する。そして、閲覧が許可された場合に、通信システム１０は、第１移動体通信端末２０又は情報処理装置３０から必要に応じて状態情報を選択し、利用者に提供することができる。
【００９３】
図２０は、通信システム１０の第１の変形例における機能ブロック図である。図２０で示す通信システム１０は、図１４で示した通信システム１０から情報処理装置３０及び判断部４３０を除いた構成である。
【００９４】
まず、第１移動体通信端末２０の機能を説明する。
先行閲覧許可部２３０は、状態情報の閲覧要求及び利用者からの入力に関わらず、状態情報を閲覧不可能な形態で状態受信部４２０に予め送信する。すなわち、先行閲覧許可部２３０は、状態格納部２２０の状態情報が更新されるたびに、状態格納部２２０から状態情報を受け取る。そして、先行閲覧許可部２３０は、状態情報を閲覧不可能な形態に処理する。先行閲覧許可部２３０は、閲覧不可能な形態への処理として、例えば、暗号化を行う。そして、先行閲覧許可部２３０は、この閲覧不可能な形態の状態情報を状態受信部４２０に送る。
【００９５】
閲覧許可部２８０は、入力部２５０への入力に基づいて、状態情報を閲覧可能な形態にさせるための信号を通信先端末である第２移動体通信端末４０に送る。すなわち、閲覧許可部２８０は、入力部２５０から入力の情報及び閲覧要求の送り主の情報を受け取る。また、閲覧許可部２８０は、閲覧要求の送り主である通信先端末が対応付けられたグループの情報を通信先格納部２７０から受け取る。そして、閲覧許可部２８０は、通信先端末に対応付けられたグループ毎に異なる状態情報を状態格納部２２０から受け取る。閲覧許可部２８０は、入力部２５０への入力が閲覧許可を示す場合に、状態情報を閲覧可能な形態にさせるための信号を状態受信部４２０に送る。例えば、閲覧許可部２８０は、暗号化された状態情報を復号して閲覧させるための暗号鍵を状態受信部４２０に送る。
【００９６】
次に、第２移動体通信端末４０の機能を説明する。
状態受信部４２０は、先行閲覧許可部２３０から状態情報を受信する。そして、状態受信部４２０は、状態情報を閲覧可能な形態にさせるための信号を閲覧許可部２８０から受け取ると、状態情報を閲覧可能な形態に変換する。続いて、状態受信部４２０は、状態情報を、表示部４６０に送る。
【００９７】
このように、第１移動体通信端末２０は、状態情報を閲覧不可能な形態で予め通信先端末（例えば第２移動体通信端末４０）に送ることができる。例えば、第１移動体通信端末２０は、状態を閲覧させる可能性のあるユーザの端末には、予め状態情報を送信しておくことができる。こうすることで、第２移動体通信端末４０は、予め受信した状態情報を単に復号処理することにより、状態情報を閲覧することができる。よって、例えば、第１移動体通信端末２０の状態情報の閲覧要求が多くの端末から短時間に集中する場合に、第１移動体通信端末２０は、状態情報の送信のタイミングを調整し、通信の負荷を分散させることができる。
【００９８】
図２１は、第１移動体通信端末２０のハードウェア構成の一例を示す。第１移動体通信端末２０は、アンテナ８００と、送受信増幅部８２８と、無線部８０２と、ベースバンド信号処理部８０４と、格納部８０６と、制御部８１２と、音声処理部８１４と、ＬＥＤ８１６と、リンガ８１８と、表示部８２０と、入力部８２２と、スピーカ８２４と、マイク８２６と、記録メディアドライブ８３０とを備える。
【００９９】
アンテナ８００は、送信アンプで増幅された上りＲＦ信号を送信し、また高帯域下りＲＦ信号を受信し、低雑音アンプに送る。送受信増幅部８２８は、送信ＲＦ信号を増幅する送信アンプと、受信ＲＦ信号を増幅する低雑音アンプを有し、ＲＦ送信信号とＲＦ受信信号を多重分離する。
【０１００】
無線部８０２は、送受信増幅部８２８から受け取った受信信号を純同期検波し、Ａ／Ｄ変換してベースバンド信号処理部８０４に送る。また無線部８０２は、ベースバンド信号処理部８０４がベースバンド拡散した送信信号をＤ／Ａ変換し、直交変調によりＲＦ信号に変換する。ベースバンド信号処理部８０４は、送信信号及び受信信号にベースバンド信号処理を行う。ベースバンド信号処理部８０４は、例えば無線部８０２から伝送される受信信号には、逆拡散、パス認定、チップ同期、誤り訂正複合化、データの多重分離、ダイバーシチハンドオーバ合成等の処理を行い、送信データには、誤り訂正符号化、フレーム化、データ変調、拡散変調等の処理を行う。
【０１０１】
格納部８０６は、データやプログラムコード等を格納する。格納部８０６は、一例として、ＲＡＭ８０８とＲＯＭ８１０とを有する。ＲＡＭ８０８は、キー入力された設定条件、アドレス帳機能提供部２６０に関するデータ、文字データ、画像データ等の各種データを格納する。また、ＲＡＭ８０８は、状態格納部２２０の機能の一部を提供する。例えば、ＲＡＭ８０８は、複数の状態情報を格納する。さらに、ＲＡＭ８０８は、通信先格納部２７０の機能を提供する。例えば、ＲＡＭ８０８は、複数の通信先端末を識別する情報をグループ毎に分類して格納する。ＲＯＭ８１０は、第１移動体通信端末２０を動作させるためのプログラムコード、第１移動体通信端末２０に固有の電話番号データを格納する。尚、格納部８０６は、複数のＲＡＭ８０８や複数のＲＯＭ８１０を有してもよい。
【０１０２】
格納部８０６に格納されるプログラムは、機能構成として、取得部モジュール、状態格納モジュール、先行閲覧許可モジュール、受信モジュール、入力モジュール、アドレス帳機能提供モジュール、通信先格納モジュール、スケジュール提供モジュール、及び閲覧許可モジュールを有する。これらの各モジュールがコンピュータに働きかけて、制御部８１２に行わせる処理は、それぞれ本実施の形態における第１移動体通信端末２０における、対応する部材の機能及び動作と同一であるから説明を省略する。
【０１０３】
表示部８２０は、受け取った文字データ等を表示する。表示部８２０は、例えば、液晶ディスプレイである。入力部８２２は、ユーザから各種データの入力や処理命令等を受け付ける。例えば、入力部８２２は、入力部２５０の機能を提供する。音声処理部８１４は、マイク８２６を通じて受け取った音声を音声電気信号に変換する。音声処理部８１４は、音声電気信号を変換処理してスピーカ８２４から音声を発生させる。
【０１０４】
ＬＥＤ８１６は、発光ダイオード（ＬＥＤ：Ｌｉｇｈｔ  Ｅｍｉｔｔｉｎｇ  Ｄｉｏｄｅ）である。リンガ８１８は、着信信号を受け取った場合に呼び出し音を発生させる。制御部８１２は、ＲＯＭ８１０に格納されたプログラム等に基づいて、装置全体や電気回路を制御する。
【０１０５】
記録媒体の一例としての記録メディア８３２は、第１移動体通信端末２０の機種情報等の第１移動体通信端末２０に関する情報を格納する。また記録メディア８３２は、ユーザに関するユーザ情報や、格納部８０６が格納するプログラムを格納してもよい。記録媒体読み取り部の一例としての記録メディアドライブ８３０は、記録メディア８３２からユーザ端末３０に関する情報等のデータを読み取り、制御部８１２に送る。このように第１移動体通信端末２０に差し替え可能な記録メディア８３２に第１移動体通信端末２０に関する情報等を格納することにより、ユーザは、携帯電話等の第１移動体通信端末２０を買い換えた場合にも、簡単に第１移動体通信端末２０に関する情報等を入れ替えることができる。
【０１０６】
図２２は、第２移動体通信端末４０のハードウェア構成の一例を示す。第２移動体通信端末４０は、アンテナ９００と、送受信増幅部９２８と、無線部９０２と、ベースバンド信号処理部９０４と、格納部９０６と、制御部９１２と、音声処理部９１４と、ＬＥＤ９１６と、リンガ９１８と、表示部９２０と、入力部９２２と、スピーカ９２４と、マイク９２６と、記録メディアドライブ９３０とを備える。
【０１０７】
アンテナ９００は、送信アンプで増幅された上りＲＦ信号を送信し、また高帯域下りＲＦ信号を受信し、低雑音アンプに送る。送受信増幅部９２８は、送信ＲＦ信号を増幅する送信アンプと、受信ＲＦ信号を増幅する低雑音アンプを有し、ＲＦ送信信号とＲＦ受信信号を多重分離する。
【０１０８】
無線部９０２は、送受信増幅部９２８から受け取った受信信号を純同期検波し、Ａ／Ｄ変換してベースバンド信号処理部９０４に送る。また無線部９０２は、ベースバンド信号処理部９０４がベースバンド拡散した送信信号をＤ／Ａ変換し、直交変調によりＲＦ信号に変換する。ベースバンド信号処理部９０４は、送信信号及び受信信号にベースバンド信号処理を行う。ベースバンド信号処理部９０４は、例えば無線部９０２から伝送される受信信号には、逆拡散、パス認定、チップ同期、誤り訂正複合化、データの多重分離、ダイバーシチハンドオーバ合成等の処理を行い、送信データには、誤り訂正符号化、フレーム化、データ変調、拡散変調等の処理を行う。
【０１０９】
格納部９０６は、データやプログラムコード等を格納する。格納部９０６は、一例として、ＲＡＭ９０８とＲＯＭ９１０とを有する。ＲＡＭ９０８は、キー入力された設定条件、アドレス帳機能提供部４４０に関するデータ、文字データ、画像データ等の各種データを格納する。ＲＯＭ９１０は、第２移動体通信端末４０を動作させるためのプログラムコード、第２移動体通信端末４０に固有の電話番号データを格納する。尚、格納部９０６は、複数のＲＡＭ９０８や複数のＲＯＭ９１０を有してもよい。
【０１１０】
格納部８０６に格納されるプログラムは、機能構成として、送信モジュール、状態受信モジュール、判断モジュール、アドレス帳機能提供モジュール、一覧表示入力モジュール、及び表示モジュールを有する。これらの各モジュールがコンピュータに働きかけて、制御部９１２に行わせる処理は、それぞれ本実施の形態における第２移動体通信端末４０における、対応する部材の機能及び動作と同一であるから説明を省略する。
【０１１１】
表示部９２０は、受け取った文字データ等を表示する。表示部９２０は、例えば、液晶ディスプレイである。また、表示部９２０は、表示部４６０の機能を提供する。入力部９２２は、ユーザから各種データの入力や処理命令等を受け付ける。例えば、入力部９２２は、一覧表示入力部４５０及びアドレス帳機能提供部４４０への入力の機能を提供する。音声処理部９１４は、マイク９２６を通じて受け取った音声を音声電気信号に変換する。音声処理部９１４は、音声電気信号を変換処理してスピーカ９２４から音声を発生させる。
【０１１２】
ＬＥＤ９１６は、発光ダイオード（ＬＥＤ：Ｌｉｇｈｔ  Ｅｍｉｔｔｉｎｇ  Ｄｉｏｄｅ）である。リンガ９１８は、着信信号を受け取った場合に呼び出し音を発生させる。制御部９１２は、ＲＯＭ９１０に格納されたプログラム等に基づいて、装置全体や電気回路を制御する。
【０１１３】
記録媒体の一例としての記録メディア９３２は、第２移動体通信端末４０の機種情報等の第２移動体通信端末４０に関する情報を格納する。また記録メディア９３２は、ユーザに関するユーザ情報や、格納部９０６に格納するプログラムを格納してもよい。記録媒体読み取り部の一例としての記録メディアドライブ９３０は、記録メディア９３２から第２移動体通信端末４０に関する情報等のデータを読み取り、制御部９１２に送る。このように第２移動体通信端末４０に差し替え可能な記録メディア９３２に第２移動体通信端末４０に関する情報等を格納することにより、ユーザは、携帯電話等の第２移動体通信端末４０を買い換えた場合にも、簡単に第２移動体通信端末４０に関する情報等を入れ替えることができる。
【０１１４】
図２３は、情報処理装置３０のハードウェア構成の一例を示す。表示言語変更装置２０は、ＣＰＵ７００と、ＲＯＭ７０２と、ＲＡＭ７０４と、通信インターフェース７０６と、ハードディスクドライブ７１０と、フロッピーディスクドライブ７１２と、ＣＤ−ＲＯＭドライブ７１６とを備える。ＣＰＵ７００は、ＲＯＭ７０２及びＲＡＭ７０４に格納されたプログラムに基づいて動作する。通信インターフェース７０６は、ネットワークを介して外部と通信する。格納装置の一例としてのハードディスクドライブ７１０は、設定情報及びＣＰＵ７００が動作するプログラムを格納する。
【０１１５】
フロッピーディスクドライブ７１２はフロッピーディスク７１４からデータまたはプログラムを読み取りＣＰＵ７００に提供する。ＣＤ−ＲＯＭドライブ７１６はＣＤ−ＲＯＭ７１８からデータまたはプログラムを読み取りＣＰＵ７００に提供する。通信インターフェース７０６は、ネットワークに接続してデータを送受信する。
【０１１６】
ＣＰＵ７００が実行するソフトウエアは、フロッピーディスク７１４またはＣＤ−ＲＯＭ７１８等の記録媒体に格納されて利用者に提供される。記録媒体に格納されたソフトウエアは圧縮されていても非圧縮であっても良い。ソフトウエアは記録媒体からハードディスクドライブ７１０にインストールされ、ＲＡＭ７０４に読み出されてＣＰＵ７００により実行される。
【０１１７】
記録媒体に格納されて提供されるソフトウエア、即ちハードディスクドライブ７１０にインストールされるソフトウエアは、機能構成として、端末情報取得モジュール、サーバ側閲覧許可モジュール、サーバ側入力モジュール、閲覧許可入出力モジュール、端末状態管理モジュール、及びサーバ側受信モジュールを備える。これらの各モジュールがコンピュータに働きかけて、ＣＰＵ７００に行わせる処理は、それぞれ本実施の形態における情報処理装置３０における、対応する部材の機能及び動作と同一であるから説明を省略する。また、登録許可待ち情報ＤＢ３５６、ユーザ管理ＤＢ３６２、登録状態管理ＤＢ３６４、及び状態通知ログＤＢ３６８は、例えば、本図におけるハードディスクドライブ７１０により実現される。
【０１１８】
図２３に示した、記録媒体の一例としてのフロッピーディスク７１４またはＣＤ−ＲＯＭ７１８には、本出願で説明する全ての実施形態における情報処理装置３０の動作の一部または全ての機能を格納することができる。
【０１１９】
これらのプログラムは記録媒体から直接ＲＡＭに読み出されて実行されても、一旦ハードディスクドライブにインストールされた後にＲＡＭに読み出されて実行されても良い。さらに、上記プログラムは単一の記録媒体に格納されても複数の記録媒体に格納されても良い。また記録媒体に格納されるモジュールは、オペレーティングシステムとの共同によってそれぞれの機能を提供してもよい。例えば機能の一部または全部を行うことをオペレーティングシステムに依頼し、オペレーティングシステムからの応答に基づいて機能を提供するものであってもよい。
【０１２０】
記録媒体としては、フロッピーディスク、ＣＤ−ＲＯＭの他にも、ＤＶＤ等の光学記録媒体、ＭＤ等の磁気記録媒体、ＰＤ等の光磁気記録媒体、テープ媒体、磁気記録媒体、ＩＣカードやミニチュアーカードなどの半導体メモリー等を用いることができる。又、専用通信ネットワークやインターネットに接続されたサーバシステムに設けたハードディスクまたはＲＡＭ等の格納装置を記録媒体として使用し、通信網を介してプログラムを情報処理装置３０に提供してもよい。
【０１２１】
以上に示した実施形態及び変形例から明らかなように、本実施形態の移動体通信端末は、利用者に、他の移動体通信端末の状態情報を知らせる機能を提供する。この機能により、利用者は、通信先端末の利用者の状態情報に基づいて、通信を開始すべきか否かを判断することができる。このように、通信システム１０は、利用者に利便な通信環境を提供することができる。
また、状態情報を知らせるか否かの判断は、状態情報を知らせる側の端末への利用者の入力に基づく。さらに、通信システム１０は、利用者に、状態情報の通知先を予め設定させる手間を省くことができる。なぜなら、通信システム１０は、閲覧要求を受信した場合に初めて、閲覧を許可するか否かを入力させるからである。よって、通信システム１０は、利用者のプライバシーを保護しつつ、利便性の高い状態情報の通知機能を提供することができる。
【０１２２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。例えば、移動体通信端末は、本実施形態で示した第１移動体通信端末２０及び第２移動体通信端末４０の双方の機能を備えてもよい。
【０１２３】
さらに、本実施形態における状態情報を、レストランや駐車場の混雑状況を表す情報として用いた場合、通信システム１０は、利便性の高いデータを利用者に提供することができる。例えば、駐車場利用者が、付近に位置するある駐車場を利用したい場合に、状態情報を閲覧することにより、その駐車場の混雑状況を知ることができる。一方、駐車場管理者は、駐車場利用者に、駐車場の混雑状況を定期的に知らせることにより、駐車場スペースを有効に活用できる。本例に示すような実施の形態も、本発明の技術的範囲に含まれることが、特許請求の範囲の記載から明らかである。
【図面の簡単な説明】
【０１２４】
【図１】図１は、通信システム１０の概略図を示す。
【図２】図２は、通信システム１０の機能ブロック図である。
【図３】図３は、端末状態管理部３６０が管理する状態情報の一例を示す。
【図４】図４は、取得部２１０が利用者から状態情報を取得し、情報処理装置３０に登録する動作の一例である。
【図５】図５は、ユーザ管理データベース３６２が格納するデータ構造の一例を示す。
【図６】図６は、登録状態管理データベース３６４が格納するデータ構造の一例を示す。
【図７】図７は、登録許可待ちデータベース３５６が格納するデータ構造の一例を示す。
【図８】図８は、状態通知ログ３６８が格納するデータ構造の一例を示す。
【図９】図９は、通信システム１０の、状態情報の閲覧許可及び閲覧許可の解除におけるフローチャートである。
【図１０】図１０は、状態通知の一例を表すフローチャートである。
【図１１】図１１は、状態通知の一例を表すフローチャートである。
【図１２】図１２は、状態通知の一例を表すフローチャートである。
【図１３】図１３は、状態通知の一例を表すフローチャートである。
【図１４】図１４は、第２の実施形態における通信システム１０の機能ブロック図を示す。
【図１５】図１５は、状態格納部２２０及び通信先格納部２７０のデータ構成の一例を示す。
【図１６】図１６は、アドレス帳機能提供部２６０が提供するアドレス帳機能の概要を表す。
【図１７】図１７は、表示部４６０の表示例を表す。
【図１８】図１８は、端末状態格納部３１０のデータ構成の一例を示す。
【図１９】図１９は、通信システム１０のフローチャートである。
【図２０】図２０は、通信システム１０の第１の変形例における機能ブロック図である。
【図２１】図２１は、第１移動体通信端末２０のハードウェア構成の一例を示す。
【図２２】図２２は、第２移動体通信端末４０のハードウェア構成の一例を示す。
【図２３】図２３は、情報処理装置３０のハードウェア構成の一例を示す。
【符号の説明】
【０１２５】
１０  通信システム
２０  第１移動体通信端末
３０  情報処理装置
４０  第２移動体通信端末
２１０  取得部
２２０  状態格納部
２３０  先行閲覧許可部
２４０  受信部
２５０  入力部
２６０  アドレス帳機能提供部
２７０  通信先格納部
２８０  閲覧許可部
２９０  スケジュール機能提供部
３１０  端末状態格納部
３２０  サーバ側閲覧許可部
３３０  サーバ側入力部
３４０  サーバ側受信部
３５０  閲覧許可入出力部
３５６  登録許可待ちデータベース
３６０  端末状態管理部
３６２  ユーザ管理データベース
３６４  登録状態管理データベース
３６８  状態通知ログ
３７０  サーバ側閲覧許可部
４１０  送信部
４２０  状態受信部
４３０  判断部
４４０  アドレス帳機能提供部
４５０  一覧表示入力部
４６０  表示部
【図１】
2007209010.tif 000003
【図２】
2007209010.tif 000004
【図３】
2007209010.tif 000005
【図４】
2007209010.tif 000006
【図５】
2007209010.tif 000007
【図６】
2007209010.tif 000008
【図７】
2007209010.tif 000009
【図８】
2007209010.tif 000010
【図９】
2007209010.tif 000011
【図１０】
2007209010.tif 000012
【図１１】
2007209010.tif 000013
【図１２】
2007209010.tif 000014
【図１３】
2007209010.tif 000015
【図１４】
2007209010.tif 000016
【図１５】
2007209010.tif 000017
【図１６】
2007209010.tif 000018
【図１７】
2007209010.tif 000019
【図１８】
2007209010.tif 000020
【図１９】
2007209010.tif 000021
【図２０】
2007209010.tif 000022
【図２１】
2007209010.tif 000023
【図２２】
2007209010.tif 000024
【図２３】
2007209010.tif 000025